(57)【特許請求の範囲】
【請求項１】
太陽光発電器と、
太陽光発電器から供給される電力および商用電源から供給される電力を用いて運転可能であり、外気から吸熱して熱媒を加熱するヒートポンプと、
熱媒を蓄えるタンクと、
ヒートポンプとタンクとの間で熱媒を循環させる熱媒循環手段と、
タンク内の熱媒を利用して温水利用箇所に温水を供給する温水供給手段と、
ヒートポンプ、熱媒循環手段および温水供給手段の動作を制御する制御装置を備えており、
制御装置は、タンクとヒートポンプの間で熱媒を循環させて、ヒートポンプで加熱された熱媒をタンクに蓄える蓄熱運転を実行可能であり、
制御装置は、日照時間帯に関する情報を取得可能であり、
制御装置は、日照時間帯内において、太陽光発電器から供給される電力を用いて第１の蓄熱運転を実行し、
制御装置は、日照時間帯後であって、浴槽への温水の供給が開始される前において、タンクの蓄熱量が所定量を下回ると、浴槽への温水の供給に備えて商用電源から供給される電力を用いて第２の蓄熱運転を実行し、
第２の蓄熱運転におけるヒートポンプの目標出口温度が、第１の蓄熱運転におけるヒートポンプの目標出口温度よりも低く設定される、給湯システム。
【請求項２】
制御装置は、浴槽への温水の供給が開始された後、浴槽への温水の供給が行われている間に、商用電源から供給される電力を用いて第３の蓄熱運転を実行し、
第３の蓄熱運転におけるヒートポンプの目標出口温度が、第２の蓄熱運転におけるヒートポンプの目標出口温度よりも低く設定される、請求項１の給湯システム。
【請求項３】
制御装置は、浴槽への温水の供給が開始された後、浴槽への温水の供給が行われている間に、商用電源から供給される電力を用いて第３の蓄熱運転を実行し、
第３の蓄熱運転におけるヒートポンプの目標出口温度が、第１の蓄熱運転におけるヒートポンプの目標出口温度よりも低く設定される、請求項１の給湯システム。
【発明の詳細な説明】
【技術分野】
【０００１】
本発明は、給湯システムに関する。
【背景技術】
【０００２】
特許文献１には、太陽光発電器と、太陽光発電器から供給される電力および商用電源から供給される電力を用いて運転可能であり、外気から吸熱して熱媒を加熱するヒートポンプと、熱媒を蓄えるタンクと、ヒートポンプとタンクとの間で熱媒を循環させる熱媒循環手段と、タンク内の熱媒を利用して温水利用箇所に温水を供給する温水供給手段と、ヒートポンプ、熱媒循環手段および温水供給手段の動作を制御する制御装置を備える給湯システムが開示されている。制御装置は、タンクとヒートポンプの間で熱媒を循環させて、ヒートポンプで加熱された熱媒をタンクに蓄える蓄熱運転を実行可能である。
【先行技術文献】
【特許文献】
【０００３】
【特許文献１】特開２０１３−１７８０１０号公報
【発明の概要】
【発明が解決しようとする課題】
【０００４】
一般的に、台所や洗面所のカラン等への給湯に比べて、浴槽への湯はりでは、短時間に大きな熱量を消費する。このため、浴槽への湯はりが開始される前には、蓄熱運転によってタンクの蓄熱量を可能な限り大きくしておくことが好ましい。その際に、省エネルギーの観点からは、可能な限り太陽光発電器から供給される電力を用いて蓄熱運転を実行しておくことが好ましい。
【０００５】
本明細書では、太陽光発電器から供給される電力および商用電源から供給される電力を用いて運転可能なヒートポンプを備える給湯システムにおいて、省エネルギーに浴槽への湯はりを行なうことが可能な技術を提供する。
【課題を解決するための手段】
【０００６】
本明細書が開示する給湯システムは、太陽光発電器と、太陽光発電器から供給される電力および商用電源から供給される電力を用いて運転可能であり、外気から吸熱して熱媒を加熱するヒートポンプと、熱媒を蓄えるタンクと、ヒートポンプとタンクとの間で熱媒を循環させる熱媒循環手段と、タンク内の熱媒を利用して温水利用箇所に温水を供給する温水供給手段と、ヒートポンプ、熱媒循環手段および温水供給手段の動作を制御する制御装置を備えている。制御装置は、タンクとヒートポンプの間で熱媒を循環させて、ヒートポンプで加熱された熱媒をタンクに蓄える蓄熱運転を実行可能である。制御装置は、日照時間帯に関する情報を取得可能である。制御装置は、日照時間帯内において、太陽光発電器から供給される電力を用いて第１の蓄熱運転を実行する。制御装置は、日照時間帯後であって、浴槽への温水の供給が開始される前において、タンクの蓄熱量が所定量を下回ると、浴槽への温水の供給に備えて商用電源から供給される電力を用いて第２の蓄熱運転を実行する。
【０００７】
通常、浴槽への湯はりは、日照時間帯後に行われる。上記の給湯システムでは、日照時間帯内において、太陽光発電器から供給される電力を用いて第１の蓄熱運転を実行する。これによって、その後に行われる浴槽への湯はりに備えて、タンクの蓄熱量を確保しておくことができる。第１の蓄熱運転は太陽光発電器から供給される電力を用いて実行されるので、省エネルギーを実現することができる。また、上記の給湯システムでは、日照時間帯後であって、浴槽への温水の供給が開始される前において、タンクの蓄熱量が所定量を下回ると、商用電源から供給される電力を用いて第２の蓄熱運転を実行する。これによって、第１の蓄熱運転の後に、台所や洗面所のカラン等への給湯が行われてタンクの蓄熱量が減少した場合でも、その後に行われる浴槽への湯はりに備えて、タンクの蓄熱量を確保しておくことができる。
【０００８】
上記の給湯システムでは、第２の蓄熱運転におけるヒートポンプの目標出口温度が、第１の蓄熱運転におけるヒートポンプの目標出口温度よりも低く設定される。
【０００９】
一般的には、ヒートポンプの目標出口温度を低くするほど、ヒートポンプのＣＯＰは高くなる。上記の給湯システムでは、商用電源から供給される電力を用いて実行する第２の蓄熱運転において、ヒートポンプの目標出口温度を低く設定することで、より省エネルギーを実現することができる。
【００１０】
上記の給湯システムは、制御装置が、浴槽への温水の供給が開始された後、浴槽への温水の供給が行われている間に、商用電源から供給される電力を用いて第３の蓄熱運転を実行し、第３の蓄熱運転におけるヒートポンプの目標出口温度が、第２の蓄熱運転におけるヒートポンプの目標出口温度よりも低く設定されるように構成することができる。あるいは、上記の給湯システムは、制御装置が、浴槽への温水の供給が開始された後、浴槽への温水の供給が行われている間に、商用電源から供給される電力を用いて第３の蓄熱運転を実行し、第３の蓄熱運転におけるヒートポンプの目標出口温度が、第１の蓄熱運転におけるヒートポンプの目標出口温度よりも低く設定されるように構成することができる。
【００１１】
浴槽への湯はりが行われている間は、タンクの蓄熱量が急速に減少していくので、タンク内の熱媒の温度も急速に低下していく。このため、浴槽への湯はりが行われている間に実行する第３の蓄熱運転では、ヒートポンプの目標出口温度を低く設定しても、タンク内の熱媒の温度成層を撹乱してしまうおそれが少ない。上記の給湯システムによれば、商用電源から供給される電力を用いて実行する第３の蓄熱運転において、ヒートポンプの目標出口温度を低く設定することで、より省エネルギーを実現することができる。
【図面の簡単な説明】
【００１２】
【図１】実施例に係る給湯システム２の構成を模式的に示す図である。
【図２】一般的な世帯における、時間帯毎の温水利用量と太陽光発電器の発電量を模式的に示す図である。
【図３】実施例に係る給湯システム２の制御装置９０が日照時間帯内に行なう処理を説明するフローチャートである。
【図４】実施例に係る給湯システム２の制御装置９０が日照時間帯後に行なう処理を説明するフローチャートである。
【発明を実施するための形態】
【００１３】
（実施例）
図１に示すように、本実施例の給湯システム２は、ヒートポンプ１０と、タンク２０と、タンク循環路３０と、水道水導入路４０と、供給路５０と、バーナ加熱装置６０と、太陽光発電器７０と、商用電源供給路８０と、制御装置９０とを備える。
【００１４】
ヒートポンプ１０は、外気から吸熱して、タンク循環路３０を通過する水を加熱する熱源である。ヒートポンプ１０は、太陽光発電器７０から供給される電力を用いて運転可能であるとともに、商用電源供給路８０を介して商用電源から供給される電力を用いて運転可能である。ヒートポンプ１０は、図示しないが、冷媒（例えば自然冷媒Ｒ２９０、フロン系冷媒Ｒ３２等）を循環させる冷媒循環路と、外気と冷媒との間で熱交換を行う蒸発器と、蒸発器からの冷媒を圧縮して高温高圧にする圧縮機と、タンク循環路３０を通過する水と圧縮機からの冷媒との間で熱交換を行う凝縮器と、凝縮器からの冷媒を減圧させて低温低圧にする膨張弁とを備えている。
【００１５】
タンク２０は、ヒートポンプ１０によって加熱された温水を蓄える。タンク２０は、密閉型であり、断熱材によって外側が覆われている。タンク２０には満水まで水が貯留されている。本実施例では、タンク２０の容量は１００Ｌである。タンク２０には、サーミスタ２２ａ、２２ｂ、２２ｃ、２２ｄがタンク２０の高さ方向に所定間隔で取り付けられている。サーミスタ２２ａ、２２ｂ、２２ｃ、２２ｄは、それぞれ、その取付位置の水の温度を測定する。例えば、サーミスタ２２ａ、２２ｂ、２２ｃ、２２ｄは、それぞれ、タンク２０の上部から７０Ｌ、５０Ｌ、３０Ｌ、５Ｌの位置の水の温度を測定する。
【００１６】
タンク循環路３０は、上流端がタンク２０の下部に接続されており、下流端がタンク２０の上部に接続されている。タンク循環路３０には、循環ポンプ３６が介装されている。循環ポンプ３６は、タンク循環路３０内の水を上流側から下流側に送り出す。また、タンク循環路３０は、ヒートポンプ１０の凝縮器（図示省略）を通過している。そのため、ヒートポンプ１０を運転させると、タンク循環路３０内の水がヒートポンプ１０の凝縮器で加熱される。従って、循環ポンプ３６とヒートポンプ１０とを運転させると、タンク２０の下部の水がヒートポンプ１０で加熱され、加熱された水がタンク２０の上部に戻される。即ち、タンク循環路３０は、タンク２０に蓄熱するための水路である。また、タンク循環路３０のうち、ヒートポンプ１０の入口側（即ち上流側）と出口側（即ち下流側）には、それぞれ、サーミスタ３２、３４が介装されている。サーミスタ３２は、タンク２０の下部から導出され、ヒートポンプ１０によって加熱される前の水の温度を測定する。サーミスタ３４は、ヒートポンプ１０によって加熱された後の温水の温度を測定する。
【００１７】
水道水導入路４０は、上流端が給水弁４２に接続されている。給水弁４２は、図示しない水道水供給源に接続されている。給水弁４２は、通常は開状態に維持されている。水道水導入路４０の下流側は、第１導入路４０ａと第２導入路４０ｂに分岐している。第１導入路４０ａの下流端は、タンク２０の下部に接続されている。第２導入路４０ｂの下流端は、後述の供給路５０の途中に接続されている。第２導入路４０ｂの下流端と供給路５０との接続部分には、混合弁４４が設けられている。混合弁４４は、供給路５０を流れる温水に、第２導入路４０ｂ内の水を混合させる量を調整する。
【００１８】
供給路５０は、上流端がタンク２０の上部に接続されている。上述したように、供給路５０の途中には、水道水導入路４０の第２導入路４０ｂが接続されており、接続部分には混合弁４４が設けられている。第２導入路４０ｂとの接続部より下流側の供給路５０には、バーナ加熱装置６０が介装されている。また、バーナ加熱装置６０より下流側の供給路５０には、サーミスタ５２が介装されている。サーミスタ５２は、供給される温水の温度を測定する。バーナ加熱装置６０は、サーミスタ５２が測定する温水の温度が、給湯設定温度Ｔｓと一致するように、供給路５０内の水を加熱する。供給路５０の下流端は、温水利用箇所（例えば台所や浴室のカラン、浴槽等）に接続されている。
【００１９】
太陽光発電器７０は、太陽光を受光することによって発電するための装置である。太陽光発電器７０が発生させた電力は、制御装置９０を介して、給湯システム２の各構成要素を含む様々な装置に供給される。例えば、太陽光発電器７０が発生させた電力は、ヒートポンプ１０および循環ポンプ３６の運転の他に、図示しない空調装置の運転等、様々な用途に利用される。
【００２０】
商用電源供給路８０は、商用電源に接続して商用電源から電力の供給を受けるための電源コードである。商用電源供給路８０を介して商用電源から供給された電力は、制御装置９０を介して、給湯システム２の各構成要素を含む様々な装置に供給される。
【００２１】
制御装置９０は、給湯システム２の上記各構成要素と電気的に接続されており、各構成要素の動作を制御する。図１には示していないが、制御装置９０には、使用者が様々な指示を入力可能な操作部と、様々な情報を表示可能な表示部とを有するリモコンが接続されている。また、制御装置９０は、給湯システム２の各要素を運転させるための電力を、商用電源供給路８０から供給するか、太陽光発電器７０から供給するかを切り替えるための電力源切替手段も備えている。また、制御装置９０は、図示しないネットワークに接続されており、そのネットワークを介して、図示しないサーバに格納されている気象情報（例えば、天気予報、過去の日照時間等）を取得し、当日の日照時間帯を推定することができる。
【００２２】
次いで、本実施例の給湯システム２の動作について説明する。給湯システム２は、蓄熱運転、給湯運転および湯はり運転を実行することができる。以下、各運転について説明する。
【００２３】
（蓄熱運転）
蓄熱運転は、ヒートポンプ１０で生成した熱によってタンク２０内の水を加熱する運転である。蓄熱運転が実行されるべき場合には、制御装置９０は、ヒートポンプ１０と循環ポンプ３６とを動作させる。循環ポンプ３６が動作すると、タンク循環路３０内をタンク２０内の水が循環する。即ち、タンク２０の下部に存在する水がタンク循環路３０内に導入され、導入された水がヒートポンプ１０内の凝縮器を通過する際に、冷媒の熱によって、予め設定された目標出口温度Ｔｂまで加熱される。目標出口温度Ｔｂまで加熱された水は、タンク２０の上部に戻される。これにより、タンク２０に目標出口温度Ｔｂの水が貯められる。この結果、タンク２０の上部には、高温の水の層が形成され、下部には、低温の水の層が形成される。本実施例では、制御装置９０は、ヒートポンプ１０の圧縮機の回転数を変えることによって、加熱後の温水の温度（目標出口温度Ｔｂ）を変えることができる。
【００２４】
（給湯運転）
給湯運転は、タンク２０内の温水を温水利用箇所に供給する運転である。給湯運転は、上記の蓄熱運転中にも実行することができる。温水利用箇所の給湯栓が開かれると、給水弁４２が開状態に維持されているため、水道水供給源からの水圧によって、水道水導入路４０（第１導入路４０ａ）からタンク２０の下部に水道水が流入する。同時に、タンク２０上部の温水が、供給路５０を介して温水利用箇所に供給される。
【００２５】
制御装置９０は、タンク２０から供給路５０に供給される温水の温度（即ち、サーミスタ２２ｄの測定温度）が、給湯設定温度Ｔｓより高い場合には、混合弁４４を開いて第２導入路４０ｂから供給路５０に水道水を導入する。この場合、タンク２０から供給された温水と第２導入路４０ｂから供給された水道水とが、供給路５０内で混合される。制御装置９０は、温水利用箇所に供給される温水の温度（即ち、サーミスタ５２が計測する温水の温度）が、給湯設定温度Ｔｓと一致するように、混合弁４４の開度を調整する。一方、制御装置９０は、タンク２０から供給路５０に供給される温水の温度が、給湯設定温度Ｔｓより低い場合には、バーナ加熱装置６０を作動させる。この場合、供給路５０を通過する温水がバーナ加熱装置６０によって加熱される。制御装置９０は、温水利用箇所に供給される温水の温度が、給湯設定温度Ｔｓと一致するように、バーナ加熱装置６０の出力を制御する。
【００２６】
（湯はり運転）
湯はり運転は、給湯運転のうち、特にタンク２０内の温水を浴槽へ供給する運転である。湯はり運転は、上記の蓄熱運転と同時並行して実行することができる。湯はり運転の開始が指示されると、制御装置９０は、図示しない湯はり弁を開いて、供給路５０から浴槽への温水の供給を実行する。制御装置９０は、図示しない湯はり流量センサを用いて、供給路５０から浴槽へ供給された温水の流量を検出する。制御装置９０は、供給路５０から浴槽へ供給された温水の積算流量が、予め設定された湯はり水量に達すると、湯はり運転を終了する。なお、湯はり運転における温水の温度調整は、給湯運転における温水の温度調整と同様に行われる。本実施例では、浴槽の容量は２００Ｌであり、タンク２０の容量よりも大きい。このため、湯はり運転においては、最初はタンク２０の蓄熱を利用して浴槽への湯はりが行われ、タンク２０の蓄熱が減少して湯切れすると、バーナ加熱装置６０による加熱を利用して浴槽への湯はりが行われる。
【００２７】
（一般的な世帯における給湯の傾向および太陽光発電器７０の発電量の傾向）
続いて、図２を参照して、生活サイクルを２４時間（１日）単位で見る場合における、一般的な世帯での給湯の傾向を説明する。図２は、ある１日の間に、一般的な世帯で給湯が行われる時間帯を模式的に示すとともに、太陽光発電器７０による発電量の推移を模式的に示す図である。
【００２８】
一般的な世帯では、例えば、６：００〜７：００に最初に給湯が行われる（図２の例では６：００）。最初の給湯は、例えば、朝食の用意や洗面のための給湯である。最初の給湯では、５〜２０Ｌ程度の温水が供給される。一般的な世帯では、例えば、１１：００〜１２：００に二度目の給湯が行われる（図２の例では１１：００）。二度目の給湯は、例えば、昼食の用意のための給湯である。二度目の給湯でも、５Ｌ〜２０Ｌ程度の温水が供給される。一般的な世帯では、例えば、２０：００に三度目の給湯が行われる（図２の例では２０：００）。三度目の給湯は、浴槽への湯はり運転である。図２の例では、毎日２０：００に湯はり運転が開始される。湯はり運転では、１５０Ｌ〜１８０Ｌ程度の温水が供給される。一般的な世帯では、例えば、２３：００〜０：００に最後の給湯が行われる（図２の例ではおよそ２３：００）。最後の給湯は、例えば、歯磨き等のための給湯である。最後の給湯では、５Ｌ〜１０Ｌ程度の温水が供給される。最後の給湯は、０：００頃に終了する。
【００２９】
また、一般的な世帯に設置された給湯システム２では、６：００の日の出とともに太陽光発電器７０が発電を開始する。発電量は１２：００毎がピークになるように増加し、その後、１９：００頃の日没に向けて減少する。以下では、日の出から日没までの時間帯を、日照時間帯という。
【００３０】
（制御装置９０が日照時間帯内に行なう処理）
制御装置９０は、日照時間帯内に、図３に示す処理を実行する。
【００３１】
ステップＳ２では、制御装置９０は、太陽光発電器７０から供給される電力を用いた蓄熱運転を開始する。ステップＳ２で開始される蓄熱運転においては、目標出口温度Ｔｂは、給湯設定温度Ｔｓよりも高い第１基準温度（例えば５５℃）に設定される。
【００３２】
ステップＳ４では、制御装置９０は、蓄熱水量が第１所定量を超えるか否かを判断する。本実施例でいう蓄熱水量とは、タンク２０内において給湯設定温度Ｔｓよりも高い温度の水の量を意味している。蓄熱水量が大きいほど、タンク２０の蓄熱量は大きい。蓄熱水量が第１所定量以下の場合（ＮＯの場合）、処理はステップＳ４を繰り返す。蓄熱水量が第１所定量を超えると（ＹＥＳとなると）、処理はステップＳ６へ進む。
【００３３】
ステップＳ６では、制御装置９０は、蓄熱運転を終了する。
【００３４】
ステップＳ８では、制御装置９０は、日照時間帯内であるか否かを判断する。日照時間帯が終わり日照時間帯外となった場合（ＮＯの場合）、制御装置９０は、図３の処理を終了する。日照時間帯内である場合（ＹＥＳの場合）、処理はステップＳ１０へ進む。
【００３５】
ステップＳ１０では、制御装置９０は、蓄熱水量が第２所定量を下回るか否かを判断する。第２所定量は、第１所定量よりも低く設定されている。蓄熱水量が第２所定量以上である場合（ＮＯの場合）、処理はステップＳ８へ戻る。蓄熱水量が第２所定量を下回ると（ＹＥＳとなると）、処理はステップＳ１２へ進む。
【００３６】
ステップＳ１２では、制御装置９０は、太陽光発電器７０から供給される電力を用いた蓄熱運転を開始する。ステップＳ１２で開始される蓄熱運転においては、目標出口温度Ｔｂは、第１基準温度（例えば５５℃）に設定される。
【００３７】
ステップＳ１４では、制御装置９０は、蓄熱水量が第１所定量を超えるか否かを判断する。蓄熱水量が第１所定量以下の場合（ＮＯの場合）、処理はステップＳ１６に進む。
【００３８】
ステップＳ１６では、制御装置９０は、日照時間帯内であるか否かを判断する。日照時間帯内である場合（ＹＥＳの場合）、処理はステップＳ１４へ戻る。日照時間帯が終わって日照時間帯後となると（ＮＯとなると）、処理はステップＳ１８へ進む。
【００３９】
ステップＳ１８では、制御装置９０は、ステップＳ１２で開始した蓄熱運転の電力供給源を、太陽光発電器７０から商用電源供給路８０に切り換える。これにより、その後の蓄熱運転は、商用電源から供給される電力を用いて実行される。ステップＳ１８の後、処理はステップＳ１４へ戻る。
【００４０】
ステップＳ１４で蓄熱水量が第１所定量を超えると（ＹＥＳとなると）、処理はステップＳ２０へ進む。ステップＳ２０では、制御装置９０は、蓄熱運転を終了する。ステップＳ２０の後、制御装置９０は、図３に示す処理を終了する。
【００４１】
以上のように、本実施例の給湯システム２では、日照時間帯内に太陽光発電器７０から供給される電力を用いて蓄熱運転を実行した後に、タンク２０の蓄熱水量が減少した場合に、いまだ日照時間帯内であれば、再び太陽光発電器７０から供給される電力を用いて蓄熱運転を実行する。このような構成とすることによって、日照時間帯後に行われる湯はり運転に備えて、タンク２０の蓄熱量を確保しておくことができる。
【００４２】
（制御装置９０が日照時間帯後に行なう処理）
制御装置９０は、日照時間帯が終わって日照時間帯後になると、図４に示す処理を実行する。
【００４３】
ステップＳ２２では、制御装置９０は、湯はり運転が開始されたか否かを判断する。湯はり運転が開始されていない場合（ＮＯの場合）、処理はステップＳ２４へ進む。
【００４４】
ステップＳ２４では、制御装置９０は、蓄熱水量が第３所定量を下回っているか否かを判断する。第３所定量は第１所定量よりも低く設定されている。蓄熱水量が第３所定量を下回っていなければ（ＮＯであれば）、処理はステップＳ２２へ戻る。蓄熱水量が第３所定量を下回っている場合（ＹＥＳの場合）、処理はステップＳ２６へ進む。
【００４５】
ステップＳ２６では、制御装置９０は、商用電源から供給される電力を用いた蓄熱運転を開始する。ステップＳ２６で開始される蓄熱運転においては、目標出口温度Ｔｂは、第１基準温度よりも低い第２基準温度に設定される。例えば、本実施例では、第２基準温度は、サーミスタ２２ｂで検出されるタンク２０内の水温に第１温度幅（例えば５℃）を加算した温度に設定される。なお、第１温度幅は、サーミスタ２２ａ、２２ｂ、２２ｃ、２２ｄで検出される温度に基づいて、タンク２０内の水温が低いほど大きな温度幅となるように設定してもよい。
【００４６】
ステップＳ２８では、制御装置９０は、湯はり運転が開始されたか否かを判断する。湯はり運転が開始されていない場合（ステップＳ２８でＮＯの場合）、処理はステップＳ３０へ進む。
【００４７】
ステップＳ３０では、制御装置９０は、蓄熱水量が第１所定量を超えるか否かを判断する。蓄熱水量が第１所定量以下の場合（ＮＯの場合）、処理はステップＳ２８へ戻る。蓄熱水量が第１所定量を超えると（ＹＥＳとなると）、処理はステップＳ３２へ進む。
【００４８】
ステップＳ３２では、制御装置９０は、蓄熱運転を終了する。蓄熱運転を終了後、処理はステップＳ２２に戻る。
【００４９】
ステップＳ２２で湯はり運転が開始されると（ＹＥＳとなると）、処理はステップＳ３４へ進む。ステップＳ３４では、制御装置９０は、商用電源から供給される電力を用いた蓄熱運転を開始する。ステップＳ３４で開始される蓄熱運転においては、目標出口温度Ｔｂは、第２基準温度よりも低い第３基準温度に設定される。例えば、本実施例では、第３基準温度は、サーミスタ２２ｂで検出されるタンク２０内の水温に第２温度幅（例えば２℃）を加算した温度である。なお、第２温度幅は、サーミスタ２２ａ、２２ｂ、２２ｃ、２２ｄで検出される温度に基づいて、タンク２０内の水温が低いほど大きな温度幅となるように設定してもよい。ステップＳ３４の後、処理はステップＳ３８へ進む。
【００５０】
ステップＳ２８で湯はり運転が開始されると（ＹＥＳとなると）、処理はステップＳ３６へ進む。ステップＳ３６では、制御装置９０は、ステップＳ２６で開始された蓄熱運転の目標出口温度Ｔｂを、第３基準温度に設定する。ステップＳ３６の後、処理はステップＳ３８へ進む。
【００５１】
ステップＳ３８では、制御装置９０は、蓄熱水量が第１所定量を超えるまで待機する。蓄熱水量が第１所定量を超えると（ＹＥＳとなると）、処理はステップＳ４０へ進む。
【００５２】
ステップＳ４０では、制御装置９０は、蓄熱運転を停止する。ステップＳ４０の後、制御装置９０は、図４に示す処理を終了する。
【００５３】
以上のように、本実施例の給湯システム２では、日照時間帯後であって、湯はり運転が開始される前において、タンク２０の蓄熱水量が第３所定量を下回ると、商用電源から供給される電力を用いて蓄熱運転を実行する。これによって、日照時間帯内に、太陽光発電器７０から供給される電力を用いて蓄熱運転を実行した後に、台所や洗面所のカラン等への給湯が行われてタンク２０の蓄熱量が減少した場合でも、その後に行われる浴槽への湯はりに備えて、タンク２０の蓄熱量を確保しておくことができる。
【００５４】
本実施例の給湯システム２では、日照時間帯後、湯はり運転の開始前に商用電源から供給される電力を用いて蓄熱運転が行われる場合、その蓄熱運転でのヒートポンプ１０の目標出口温度Ｔｂは、日照時間帯内に太陽光発電器７０から供給される電力を用いて行われる蓄熱運転での目標出口温度Ｔｂよりも低く設定される。これによって、商用電源から供給される電力を用いた蓄熱運転におけるヒートポンプ１０のＣＯＰを向上して、省エネルギーを実現することができる。
【００５５】
本実施例の給湯システム２では、湯はり運転の実行中に、商用電源から供給される電力を用いて蓄熱運転を実行する。その蓄熱運転でのヒートポンプ１０の目標出口温度Ｔｂは、日照時間帯内に太陽光発電器７０から供給される電力を用いて行われる蓄熱運転での目標出口温度Ｔｂや、日照時間帯後、湯はり運転の開始前に商用電源から供給される電力を用いて行われる蓄熱運転での目標出口温度Ｔｂよりも低く設定される。これによって、商用電源から供給される電力を用いた蓄熱運転におけるヒートポンプ１０のＣＯＰを向上して、省エネルギーを実現することができる。
【００５６】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００５７】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５８】
２        ：給湯システム
１０      ：ヒートポンプ
２０      ：タンク
２２ａ    ：サーミスタ
２２ｂ    ：サーミスタ
２２ｃ    ：サーミスタ
２２ｄ    ：サーミスタ
３０      ：タンク循環路
３２      ：サーミスタ
３４      ：サーミスタ
３６      ：循環ポンプ
４０      ：水道水導入路
４０ａ    ：第１導入路
４０ｂ    ：第２導入路
４２      ：給水弁
４４      ：混合弁
５０      ：供給路
５２      ：サーミスタ
６０      ：バーナ加熱装置
７０      ：太陽光発電器
８０      ：商用電源供給路
９０      ：制御装置
【図１】
0006660731.tif 000002
【図２】
0006660731.tif 000003
【図３】
0006660731.tif 000004
【図４】
0006660731.tif 000005